(57)【特許請求の範囲】
【請求項１】
車両の車速を検出する車速検出手段と、
前記車速検出手段で検出された前記車速の大きさに応じて、接近通報音を発音する第一発音手段と、
前記車速の入力パターンに基づき、前記接近通報音とは異なる検査専用音を発音する第二発音手段と
を備えたことを特徴とする、車両接近通報装置。
【請求項２】
前記車両の制動操作を検出する制動検出手段を備え、
前記第二発音手段が、前記制動検出手段で検出された前記制動操作と前記車速とを組み合わせた入力パターンに基づき、前記検査専用音を発音する
ことを特徴とする、請求項１記載の車両接近通報装置。
【請求項３】
前記車両の変速操作を検出する変速検出手段を備え、
前記第二発音手段が、前記変速検出手段で検出された前記変速操作と前記車速とを組み合わせた入力パターンに基づき、前記検査専用音を発音する
ことを特徴とする、請求項１又は２記載の車両接近通報装置。
【請求項４】
前記検査専用音を発音するための入力パターンの受付時間を、前記車両の起動時から所定時間が経過するまでの間とする
ことを特徴とする、請求項１〜３の何れか１項に記載の車両接近通報装置。
【請求項５】
前記第二発音手段が、前記第一発音手段よりも優先して前記発音を実施する
ことを特徴とする、請求項１〜４の何れか１項に記載の車両接近通報装置。
【請求項６】
前記第二発音手段に接続され、前記車速検出手段で検出される前記車速を模擬した模擬車速信号を出力する外部検査手段を備え、
前記第二発音手段が、前記模擬車速信号の入力パターンに基づき、前記検査専用音を発音する
ことを特徴とする、請求項１〜５の何れか１項に記載の車両接近通報装置。
【請求項７】
車両に搭載される接近通報装置の制御方法であって、
前記車両の車速を検出し、
前記車速に大きさに応じて前記接近通報装置に接近通報音を発音させるとともに、
前記車速の入力パターンに基づいて前記接近通報装置に前記接近通報音とは異なる検査専用音を発音させる
ことを特徴とする、車両接近通報装置の制御方法。
【発明の詳細な説明】
【技術分野】
【０００１】
本発明は、車両の接近を周囲に通報する車両接近通報装置及びその制御方法に関する。
【背景技術】
【０００２】
従来、走行用の駆動源としての電動モータを搭載した電気自動車（充電池式電気自動車や燃料電池自動車やハイブリッド車両も含む）が普及しつつある。電動モータは、ガソリンエンジンやディーゼルエンジンといった内燃機関と比較して駆動音が小さく、静音性に優れているというメリットがある。一方、その静音性によって周囲の歩行者が車両の接近に気付きにくく、歩行者に却って不安感を与える場合があることが指摘されている。
【０００３】
このような事態を踏まえて、国土交通省の主導により学識経験者，視覚障害者団体，自動車メーカー団体等からなる対策検討委員会が開催され、車両の接近を周囲に気付かせるための装置に関するガイドラインが審議されている。平成22年1月に策定されたガイドラインでは、ＥＶ走行が可能な車両に対し、車両の接近を想起させる音を発音する車両接近通報装置を搭載すべき旨の報告がなされている。
【０００４】
車両接近通報装置の具体例としては、例えば特許文献１に記載のように、車速に応じて音の周波数成分や発音方向を制御するもの等が提案されている。この技術では、車外に向けて音を放射するスピーカが車両に設けられており、車両の走行状態に応じて外部に音が発せられている。
【先行技術文献】
【特許文献】
【０００５】
【特許文献１】特開２００４−１３６８３１号公報
【発明の概要】
【発明が解決しようとする課題】
【０００６】
ところで、車両の製造工程における車両接近通報装置の動作試験は、車両の製造工場のライン上や販売会社での整備検査等で実施される。すなわち、他の工程作業や整備点検作業が実施されている暗騒音が大きい状態で、スピーカから発せられる音を確認する官能検査が実施される。
【０００７】
一方、上述のガイドラインでは、車両接近通報装置の音色の種類として、サイレンやチャイム，メロディ音や警報器の音等の耳に付きやすい音が不適当である旨が謳われており、これらの聞き分けやすい音色を車両接近通報装置の音色として設定することが事実上できない。さらに、上述のガイドラインでは、車両が時速20[km/h]で走行する際に発する走行音の大きさを超えない程度の音量とすべき旨の記載もあり、車両接近通報装置の音量を必要以上に増大させることも難しい。
【０００８】
このように、車両接近通報装置から発せられる音は、周囲に対して耳障りとならない音色及び音量に設定される。そのため、官能検査時における音の確認及び識別が困難であり、試験の作業性及び作業効率を向上させることが難しいという課題がある。特に、車両接近通報装置から発せられる音として、一般のエンジン音を模した音色で、一般のエンジン音よりも小さい音量のものが設定されたような場合には、その音がスピーカから発せられた音であるのか、それとも暗騒音に含まれる音であるのかを区別することが難しい。
【０００９】
本件の目的の一つは、上記のような課題に鑑み創案されたもので、車両接近通報装置の官能検査時における作業性及び作業効率を向上させることである。
なお、この目的に限らず、後述する発明を実施するための形態に示す各構成により導かれる作用効果であって、従来の技術によっては得られない作用効果を奏することも本件の他の目的として位置づけることができる。
【課題を解決するための手段】
【００１０】
（１）ここで開示する車両接近通報装置は、車両に搭載され、前記車両の車速を検出する車速検出手段と、前記車速検出手段で検出された前記車速の大きさに応じて、接近通報音を発音する第一発音手段と、前記車速の入力パターンに基づき、前記接近通報音とは異なる検査専用音を発音する第二発音手段とを備える。
前記接近通報音は、前記車両の接近を周囲に想起させる連続音であり、例えばエンジン音を模擬した音であることが好ましい。一方、前記検査専用音は、音量，音程，音色の少なくとも一つが前記接近通報音とは相違し、前記接近通報音から識別される連続音又は間欠音であって、例えばビープ音やブザー音等の電子音やメロディ音としてもよい。
【００１１】
（２）また、前記車両の制動操作を検出する制動検出手段を備え、前記第二発音手段が、前記制動検出手段で検出された前記制動操作と前記車速とを組み合わせた入力パターンに基づき、前記検査専用音を発音することが好ましい。
（３）また、前記車両の変速操作を検出する変速検出手段を備え、前記第二発音手段が、前記変速検出手段で検出された前記変速操作と前記車速とを組み合わせた入力パターンに基づき、前記検査専用音を発音することが好ましい。
【００１２】
（４）また、前記検査専用音を発音するための入力パターンの受付時間を、前記車両の起動時から所定時間が経過するまでの間とすることが好ましい。
（５）また、前記第二発音手段が、前記第一発音手段よりも優先して前記発音を実施することが好ましい。
【００１３】
（６）また、前記第二発音手段に接続され、前記車速検出手段で検出される前記車速を模擬した模擬車速信号を出力する外部検査手段を備え、前記第二発音手段が、前記模擬車速信号の入力パターンに基づき、前記検査専用音を発音することが好ましい。
（７）また、開示の車両接近通報装置の制御方法は、車両に搭載される接近通報装置の制御方法であって、前記車両の車速を検出し、前記車速に大きさに応じて前記接近通報装置に接近通報音を発音させるとともに、前記車速の入力パターンに基づいて前記接近通報装置に前記接近通報音とは異なる検査専用音を発音させることを特徴としている。
【発明の効果】
【００１４】
開示の車両接近通報装置及び車両接近通報装置の制御方法によれば、車速の入力パターンに基づいて検査専用音を発音させることにより、車両接近通報装置に検査機能を付与することができ、結線状態や車両接近通報装置の動作を容易に確認することができる。また、検査専用音を接近通方法とは異なる音にすることができるため、暗騒音が大きい環境での試験時であっても、検査専用音を容易に確認及び識別することができる。さらに、検査専用音を発音するための条件と接近通報音を発音するための条件とが相違するため、試験時にのみ検査専用音を発音させることができる。
【図面の簡単な説明】
【００１５】
【図１】一実施形態に係る車両接近通報装置を例示するブロック構成図である。
【図２】図１の車両接近通報装置での制御を説明するためのタイムチャートである。
【図３】図１の車両接近通報装置で実施されるフローチャートの例である。
【図４】変形例に係る車両接近通報装置を説明するための図であり、（ａ），（ｂ）はブロック構成図、（ｃ）は検査専用音を発音する制御の開始条件に係る車速の入力パターンを示すグラフである。
【発明を実施するための形態】
【００１６】
図面を参照して制御装置について説明する。なお、以下に示す実施形態はあくまでも例示に過ぎず、以下の実施形態で明示しない種々の変形や技術の適用を排除する意図はない。
【００１７】
［１．装置構成］
本実施形態の車両接近通報装置は、図１に示す車両１０に適用される。この車両１０は、走行用バッテリの電力で電動モータを駆動源として走行する電気自動車であり、その内部には車両接近通報ＥＣＵ１が備えられる。車両接近通報ＥＣＵ１は、周知のマイクロプロセッサやROM，RAM等を集積したLSIデバイス又は組み込み電子デバイスであり、車両１０の接近を周囲に通報（報知）するための車両接近通報制御を実施する電子制御装置である。車両接近通報ＥＣＵ１には、スピーカ４，スタートスイッチ５，シフトポジションセンサ６，ブレーキスイッチ７及び車輪速センサ８が接続される。
【００１８】
スピーカ４は、車両１０の外部に対して発音するための音響装置である。スピーカ４の取付位置は任意であり、例えば車室外に設けられる。あるいは、車両１０の外部に対して発音される位置とし、例えば車両１０の前端部や側面部，後部等に設けられる。スピーカ４から発せられる音の種類及び音量は、車両接近通報ＥＣＵ１によって制御される。
【００１９】
スタートスイッチ５は、電動モータを起動するための電源スイッチであり、エンジンを搭載した車両のイグニッションキースイッチに相当する。本実施形態の車両接近通報ＥＣＵ１への通電状態は、車両１０の電動モータへの通電状態に対応する。すなわち、車両１０の電動モータの起動と同時に車両接近通報ＥＣＵ１も起動し、電動モータへの電力供給が遮断されると車両接近通報ＥＣＵ１も動作を停止する。
【００２０】
シフトポジションセンサ６（変速検出手段）は、シフトレバーの操作位置SP（シフトポジション）を検出するものである。ここでいうシフトレバーには、変速機を操作するためのレバー装置だけでなく、電動モータを操作するためのレバー装置（すなわちセレクターレバー）が含まれる。例えば、車両１０がエンジン及びセミオートマチック変速機を備えたハイブリッド車両である場合には、シフトポジションセンサ６が変速機のギヤ段に対応する操作位置SP（例えば、パーキングレンジ，１速レンジ，２速レンジ等）を検出する。
【００２１】
本実施形態では、車両１０が電気自動車であるため変速機を搭載しないが、電動モータの出力特性を選択するためのセレクタレバーが設けられており、シフトポジションセンサ６はその出力特性に対応する操作位置SP〔例えば、パーキング(Ｐ)位置，走行(Ｄ)位置，中立(Ｎ)位置等〕を検出する。
【００２２】
ブレーキスイッチ７（制動検出手段）は、ブレーキペダルの踏み込み操作の有無を検出するものである。ここでは、例えばブレーキペダルが踏み込まれているときにオン信号(BR=1)が出力され、ブレーキ操作がないときにオフ信号(BR=0)が出力される（あるいは、オン信号が出力されない状態となる）。また、車輪速センサ８（車速検出手段）は、車速V（車両１０の走行速度）に対応するパラメータである車輪の回転速度を検出するものである。通常の走行時には、車輪速が車速（車両１０の走行速度）に応じた値を持つ。
上記のシフトポジションセンサ６，ブレーキスイッチ７及び車輪速センサ８で検出された操作位置SPの情報やブレーキ操作の有無を示す信号BR，車速Vの情報は、車両接近通報ＥＣＵ１に伝達される。
【００２３】
［２．制御構成］
車両接近通報ＥＣＵ１は、二種類の制御を実施する。
第一の制御は、車両１０の外部に対してスピーカ４から接近通報音を発音する制御である。接近通報音とは、車両１０の接近を周囲に気付かせるための音（車両の接近を周囲に想起させる音）であり、例えば一般のエンジン音を模擬した音色の連続音である。また、接近通報音の音量は一般的に、通常のエンジンの音量以下の音量に設定される。
以下、接近通報音を発音するための条件のことを通報音条件と呼ぶ。接近通報音は、通報音条件の成立時に発音され、通報音条件の非成立時にその発音が停止される。
【００２４】
第二の制御は、車両接近通報ＥＣＵ１の検査専用音をスピーカ４から発音する制御である。検査専用音とは、車両接近通報ＥＣＵ１に接続されるセンサ及びスピーカ４等の結線状態や車両接近通報ＥＣＵ１の正常動作を確認するための官能検査用の音であり、例えばビープ音やブザー音等の電子音である。また、検査専用音の音量は接近通報音よりも大音量に設定される。つまり検査専用音は、接近通報音とは異なる音であって、暗騒音に埋もれにくい音色及び音量とされる。少なくとも、音量，音程，音色のうちの一つが接近通報音とは相違し、互いに識別される連続音又は間欠音であることが好ましい。
【００２５】
検査専用音を発音するための条件は二つあり、以下、これらの条件のことを第一検査音開始条件，第二検査音開始条件と呼ぶ。検査専用音はこれらの二つの条件が成立した場合にのみ発音される。また、検査専用音の発音中にその発音を停止するための条件のことを検査音終了条件と呼ぶ。
【００２６】
車両接近通報ＥＣＵ１には、これらの二種類の制御を実施するための機能を実現するソフトウェア又はハードウェアとして、通常発音制御部２及び検査発音制御部３が設けられる。
通常発音制御部２（第一発音手段）は、通報音条件の成立時に、車速Vの大きさに応じて接近通報音を発音するものである。通報音条件は、電動モータが車両１０を駆動している状態であって、車速Vが所定速度未満であること（車速Vが所定範囲内であること）とされる。
【００２７】
例えば、車速Vが時速25[km/h]未満で走行しているときに、通報音条件が成立するものとする。また、接近通報音は、通報音条件が成立しない場合には発音されない。すなわち、電動モータが起動していない場合（スタートスイッチ５がオフ操作されている場合）や車速Vが所定速度以上である場合、車両１０が停止している場合等がこれに該当する。
このように、通常発音制御部２は、車両１０が比較的低速で走行している状態ではスピーカ４から接近通報音を発音させ、車両１０が接近していることを周囲に知らしめるように機能する。
【００２８】
検査発音制御部３（第二発音手段）は、第一検査音開始条件及び第二検査音開始条件の成立時に検査専用音を発音するものである。第一検査音開始条件及び第二検査音開始条件は、車速V，制動操作及び変速操作を組み合わせた入力パターンに基づいて判定される。検査発音制御部３には、これらの開始条件に対応して、第一条件判定部３ａ及び第二条件判定部３ｂが設けられる。
【００２９】
また、検査発音制御部３は、通常発音制御部２とは独立してこれらの開始条件を判定し、接近通報音の発音時であってもこれに優先して検査専用音を制御する。つまり、通報音条件と第一検査音開始条件及び第二検査音開始条件とがともに成立したような場合には、検査専用音を発音する制御が接近通報音を発音する制御よりも優先的に実施される。
【００３０】
第一条件判定部３ａは、第一検査音開始条件を判定するものである。例えば、第一検査音開始条件は、以下の全ての条件が成立することとされる。ここでの判定結果は、第二条件判定部３ｂに伝達される。
（１）車両接近通報ＥＣＵ１の起動時からの経過時間が所定時間X以内である
（２）車速Vが0[km/h]である
（３）ブレーキスイッチ７の出力信号がオン信号(BR=1)である
（４）シフトレバーの操作位置SPがパーキング(Ｐ)以外の位置である
なお、車両接近通報ＥＣＵ１の起動時からの経過時間が所定時間Xを超えると条件（１）が不成立となるため、その後第一検査音開始条件が成立することはない。
【００３１】
第二条件判定部３ｂは、第一検査音開始条件の成立後に、第二検査音開始条件を判定するものである。第一検査音開始条件と同様に、第二検査音開始条件も車速V，制動操作及び変速操作の入力パターンの組み合わせに基づいて判定される。ただし、第二検査音開始条件は、第一検査音開始条件が成立して初めて判定される。したがって、仮に上記の条件（１）〜（４）の何れかが成立しない場合には、第二検査音開始条件は判定されない。第二検査音開始条件は、例えば、以下の全ての条件が成立することとされる。
（５）第一検査音開始条件の成立時からの経過時間が第二所定時間Y以内である
（６）上記の(２), (３)の成立中にシフトレバーがＰ位置とＰ位置以外との間で
交互に三回操作される
【００３２】
条件（６）中の「Ｐ位置以外」とは、Ｐ位置を除く任意の操作位置を意味する。つまり、Ｐ位置でない状態からＰ位置への操作が三回繰り返された場合（例えば、シフトレバーがＮ位置から順に、Ｐ位置、Ｒ位置、Ｐ位置、Ｄ位置、Ｐ位置と操作された場合）に、条件（６）が成立する。第二検査音開始条件が成立すると、検査発音制御部３は検査専用音をスピーカ４から発音させる。
【００３３】
また、第二条件判定部３ｂは、第二検査音開始条件が成立後に、検査音終了条件を判定する。検査音終了条件は、下記の何れかの条件が成立することである。これらの何れかの条件が成立したとき、検査発音制御部３はスピーカ４に検査専用音の発音を停止させる。
（７）電動モータが起動していない（スタートスイッチ５がオフ操作）
（８）検査音の発音開始時からの経過時間が第三所定時間Z以上である
（９）車速Vが0[km/h]でない（例えば、車両が走行を開始した）
【００３４】
ここで図２を用いて、上記の二種類の制御の開始条件が判定されるタイミングを説明する。時刻t1にスタートスイッチ５がオン操作されると、電動モータ及び車両接近通報ＥＣＵ１が起動する。この時点から、通常発音制御部２では通報音条件の判定が開始されるとともに、検査発音制御部３では第一検査音開始条件が判定される。
このとき、検査専用音は第一検査音開始条件及び第二検査音開始条件が成立しない限り発音されない。一方、これらの条件が成立すると、検査専用音を発音する制御が優先され、スピーカ４から検査専用音が発音されることになる。
【００３５】
条件（６）の操作受付可能時間は、第一検査音開始条件が成立してからYである。また、第一検査音開始条件に含まれる条件（１）及び第二検査音開始条件に含まれる条件（５）の制限を受けて、検査用の入力操作が受け付けられる時間は最長でもX+Yとなる。これにより、検査専用音を発音するための入力パターンの受付時間は、車両の起動時から所定時間が経過するまでの間となる。
【００３６】
また、時刻t1から時間X+Yが経過した時刻t2以降は、検査専用音の発音制御が開始されない。時刻t2以降に開始されるのは、通常の通報音の制御のみである。なお、仮に時刻t2の直前に検査専用音を発音する制御が開始されたとすると、その検査音の発音開始時から第三所定時間Zが経過した時刻t3以降は検査専用音が発音されない。
言い換えると、検査専用音は、第一検査音開始条件が成立してから所定時間が経過するまでの間でのみ発音され、少なくとも車両１０の起動時から時間X+Y+Zが経過した後には発音されない。
【００３７】
［３．フローチャート］
図３は車両接近通報ＥＣＵ１で実行される制御手順を例示するフローチャートである。このフローは、車両接近通報ＥＣＵ１の内部において所定の周期（例えば数[ms]周期）で繰り返し実施される。フローチャート中のフラグFは、第一検査音開始条件の成否を意味するフラグである。
【００３８】
すなわち、第一検査音開始条件の成立時にF=1に設定され、それ以外のときにはF=0（車両接近通報ＥＣＵ１の起動時における初期値）とする。フラグFの値は、車両接近通報ＥＣＵ１が起動している間は保持されるものとする。また、本フローチャート中のタイマーT1，T2は経過時間を計測するためのカウンターであり、初期値は車両接近通報ＥＣＵ１の通電開始時に0である。
【００３９】
ステップＡ１０では、第一条件判定部３ａにおいて、フラグFがF=0であるか否かが判定される。第一検査音開始条件の非成立時にはF=0であるため、続くステップＡ２０へ進む。なお、第一検査音開始条件の成立後には、ステップＡ６０へと進む。
ステップＡ２０では、第一条件判定部３ａにおいて、タイマーT1による計時が開始される。すでにタイマーT1による計時が始まっている場合には、その値が積算されてカウントが継続される。条件（１）に係る経過時間は、このタイマーT1によって計測される。
【００４０】
続くステップＡ３０では、第一条件判定部３ａにおいて、タイマーT1で計測された経過時間が所定時間X以下であるか否かが判定される。ここでT1≦Xである場合には条件（１）が成立するため、ステップＡ４０へ進む。一方、T1＞Xである場合には条件（１）が非成立であり、すなわち第一検査音開始条件が成立しないため、ステップＡ１２０へ進む。なお、T1＞Xになった後もタイマーT1の計時は停止しないため、車両接近通報ＥＣＵ１の起動時から所定時間Xが経過するまでにステップＡ４０の第一検査音開始条件が成立しなければ、その後検査専用音が発音されることはない。
【００４１】
ステップＡ４０では、第一条件判定部３ａにおいて、条件（２）〜（４）が成立する否かが判定される。これらの条件が成立すると第一検査音開始条件が成立することになり、ステップＡ５０でフラグFがF=1に設定される。一方、条件（２）〜（４）が成立しない場合にはステップＡ１２０へ進む。
【００４２】
ステップＡ５０に続くステップＡ６０では、第二条件判定部３ｂにおいて、タイマーT2による計時が開始される。すでにタイマーT2による計時が始まっている場合には、その値が積算されてカウントが継続される。条件（５）に係る経過時間は、このタイマーT2によって計測される。続くステップＡ７０では、第二条件判定部３ｂにおいて、タイマーT2で計測された経過時間が第二所定時間Y以下であるか否かが判定される。
【００４３】
ここでT2≦Yである場合には条件（５）が成立するため、ステップＡ８０へ進む。一方、T2＞Yである場合には条件（５）が非成立であり、すなわち第二検査音開始条件が成立しないため、ステップＡ１２０へ進む。なお、T2＞Yになった後もタイマーT2の計時は停止しないため、第一検査音開始条件の成立時から第二所定時間Yが経過するまでにステップＡ８０の第二検査音開始条件が成立しなければ、その後検査専用音が発音されることはない。
【００４４】
ステップＡ８０では、第二条件判定部３ｂにおいて、条件（６）が成立するか否かが判定される。この条件が成立すると第二検査音開始条件が成立することになり、ステップＡ９０に進む。一方、条件（６）が成立しない場合にはステップＡ１２０へ進む。
ステップＡ９０では、検査発音制御部３から発音信号が出力され、スピーカ４から検査専用音が発音される。また、続くステップＡ１００では、第二条件判定部３ｂにおいて、条件（７）〜（９）が成立するか否かが判定される。
【００４５】
ここで条件（７）〜（９）が成立しない場合には制御がステップＡ９０に戻り、検査専用音の発音が継続される。一方、条件（７）〜（９）の何れかが成立すると、ステップＡ１１０に進み、検査専用音の発音が終了し、このフローが終了する。なお、車両接近通報ＥＣＵ１に入力される情報が変化しなかったとしても、条件（８）によって検査専用音の発音時間が第三所定時間Zに達すると検査音終了条件が成立するため、発音が停止する。
【００４６】
ステップＡ１２０は、検査専用音に係る条件が成立しないときに進むステップであり、ここでは通常発音制御部２において、通報音条件が成立するか否かが判定される。すなわち、車速Vが所定範囲内である場合にはステップＡ１３０へ進み、所定速度以上であればステップＡ１４０へ進む。
【００４７】
ステップＡ１３０では、通常発音制御部２から発音信号が出力され、スピーカ４から接近通報音が発音されて、このフローは終了する。また、ステップＡ１４０では発音信号の出力が停止し、接近通報音の発音が終了して、このフローは終了する。これらの何れのステップに進んだ場合であってもフローが終了し、所定の周期で再び制御がステップＡ１０から実行される。
したがって、車両１０の起動後しばらくの間は常に第一検査音開始条件や第二検査音開始条件の判定がなされ、これらの条件が成立した場合には検査専用音の発音が接近通報音の発音に優先される。
【００４８】
［４．効果］
上記の車両接近通報装置では、第一検査音開始条件及び第二検査音開始条件の成立時に、通常の接近通報音とは異なる検査専用音を発音させる制御が実施される。したがって、車両接近通報ＥＣＵ１に検査機能を付与することができ、結線状態や車両接近通報ＥＣＵ１の動作を容易に確認することができる。また、接近通報音とは異なる任意の音を検査専用音として設定することが可能となり、検査者が音を容易に確認及び識別することができる。さらに、検査専用音を発音するための条件と接近通報音を発音するための条件とが相違するため、検査時にのみ検査専用音を発音させることができる。
【００４９】
また、上記の車両接近通報装置では、検査専用音を発音するための条件が二重に（二種類）設定されるため、誤操作による検査音の発音を防止することができる。さらに、条件（１）〜（６）に示すように、第一検査音開始条件及び第二検査音開始条件は、車速Vの入力パターン，ブレーキスイッチ７の出力信号のパターン及びシフトポジションセンサ６の出力信号のパターンの組み合わせに基づいて判定される。したがって、検査時以外で検査専用音が発音されるような事態を回避しやすくすることができる。
【００５０】
また、検査専用音を発音するための入力パターンの受付時間は、図２に示すように、最大でもスタートスイッチ５のオン操作から時間X+Yが経過するまでの間に限定される。これにより、車両１０の走行中に意図せず検査専用音が発音されるような事態を確実に防止することができる。
さらに、接近通報音の発音よりも優先的に検査専用音の発音が制御されるため、確実に検査による動作確認をすることができ、製品検査の作業性を向上させることができる。
【００５１】
［５．変形例］
上述した実施形態に関わらず、それらの趣旨を逸脱しない範囲で種々変形して実施することができる。本実施形態の各構成は、必要に応じて取捨選択することができ、あるいは適宜組み合わせてもよい。
上述の実施形態では、車速V，ブレーキペダルの踏み込み操作及びシフトレバーの操作の組み合わせを用いて検査専用音の発音の開始条件を判定するものを例示したが、具体的な条件の設定手法はこれに限定されない。以下の制動操作のパターン，車速パターンに基づく条件判定例を示す。
【００５２】
［５−１．制動操作のパターン］
図４（ａ）に示す車両接近通報ＥＣＵ１は、上述のブレーキスイッチ７及び車輪速センサ８と、駐車ブレーキスイッチ９とが接続されたものである。なお、上述の実施形態と同一の要素に関しては同一の符号を付して説明を省略する。
【００５３】
駐車ブレーキスイッチ９（制動検出手段の一つ）は、車両１０の駐車ブレーキレバーへの操作の有無を検出するものである。ここでは、駐車ブレーキレバーが引き上げられているとき（パーキング状態のとき）にオン信号(PBR=1)が出力され、駐車ブレーキレバーが引き上げられていないとき（パーキング状態が解除されているとき）にオフ信号(PBR=0)が出力される（あるいは、オン信号が出力されない状態となる）。
【００５４】
また、検査発音制御部３の第一条件判定部３ａで判定される第一検査音開始条件として、以下の条件（１０）,（１１）が設定され、第二条件判定部３ｂで判定される第二検査音開始条件として、以下の条件（１２）が設定される。
（１０）車速Vが0[km/h]である
（１１）駐車ブレーキレバーが引き上げられている
（１２）上記の（１０），（１１）の成立中かつ所定時間内に
ブレーキペダルが三回踏み込まれる
【００５５】
条件（１２）のブレーキペダルの踏み込み操作は、ブレーキスイッチ７から出力される信号に基づいて判定される。例えば、オン信号(BR=1)とオフ信号(BR=0)とが交互に繰り返し三回検出された場合に、ブレーキペダルが三回踏み込まれたと判定する。
【００５６】
このような車両接近通報ＥＣＵ１においても、制動操作と車速の入力パターンとの組み合わせに基づいて検査専用音を発音させることが可能となり、官能検査の作業性を向上させることが可能となる。なお、条件（１２）で判定される操作パターンは、通常の車両１０の運転操作時に検出されない特殊なパターンであることが好ましい。例えば、オン信号(BR=1)とオフ信号(BR=0)とを繰り返す回数が多いほど、検査時以外に検査専用音が発音される可能性を低下させることができる。
【００５７】
［５−２．車速パターン］
より簡便な構成として、図４（ｂ）に示す車両接近通報ＥＣＵ１は、車輪速センサ８のみが接続されたものである。ここでは、検査発音制御部３の第一条件判定部３ａで判定される第一検査音開始条件として以下の条件（１３）が設定され、第二検査音開始条件として以下の条件（１４）が設定される。
（１３）車速Vが0[km/h]である
（１４）車速Vが所定の変動パターンを示す
【００５８】
条件（１４）で判定される車速Vの変動パターンとは、例えば図４（ｃ）に示すように、複数の車速状態（車速Vの値）が所定時間ずつ順に検出されるようなパターンとすることが考えられ、また通常の運転操作時には見られない特殊な変動パターンとすることが好ましい。
なお、官能検査時には図４（ｂ）中に示すように、検査用の走行台１１の上で車輪を回転させて、車輪速に対応する車速Vを車輪速センサ８から出力させればよい。または、検査用のテスター等を接続して車両接近通報ＥＣＵ１に模擬車速信号を入力してもよい。このような車両接近通報ＥＣＵ１においても、車速Vの入力パターンに基づいて検査専用音を発音させることが可能となり、官能検査の作業性を向上させることが可能となる。
【００５９】
［５−３．その他］
検査専用音を発音させるための条件判定に係る操作入力は、通常の運転操作時に入力されない（又は入力されにくい）ものであれば任意に設定することができる。一方、通常発音制御部２で実施される接近通報音の制御との関連性が希薄なパラメータ（例えば、アクセル操作量や操舵角といったパラメータ）を用いたのでは、車両接近通報ＥＣＵ１に係る入出力装置の結線状態を確認できない。
【００６０】
このことから、接近通報音の制御との関連性が強いパラメータを検出し、そのパラメータの入力パターン（時間変動パターン）に基づいて検査専用音を発音する構成とすればよい。少なくとも、車速Vを検出する手段と、車速Vに応じて接近通報音を発音する手段と、車速Vの入力パターンに基づいて検査専用音を発音する手段とを備えれば、上述の実施形態の車両接近通報ＥＣＵ１と同様の効果を奏するものとなる。
【００６１】
なお、上記のアクセル操作量や操舵角といったパラメータは、通常発音制御部２で実施される接近通報音の制御との関連性が希薄なパラメータとして例示したものであって、これらのパラメータを用いた入力パターンの判定制御を排除する意図はない。すなわち、アクセル操作量を用いて接近通報音の制御を実施するような車両接近通報装置にあっては、このアクセル操作量の入力パターンを検査専用音の制御に用いることが好ましい。
【００６２】
また、検査専用音を発音するための条件が複雑であるほど、通常の運転操作時における入力のされにくくなる。例えば、ブレーキ操作と車速とを組み合わせた入力パターンを用いて検査専用音を発音する構成とすれば、検査時以外で検査専用音が発音されるような事態を回避しやすくすることが可能となる。同様に、シフトレバー操作と車速とを組み合わせた入力パターンを用いて検査専用音を発音する構成とすることで、検査時以外での検査専用音の発音が回避しやすくなる。
【００６３】
さらに、車両接近通報ＥＣＵ１に検査用のダイアグコネクタが設けられている場合には、そのダイアグコネクタに検査用ダイアグ信号が入力されているときに、検査専用音が発音される構成とすることが考えられる。この場合、検査時以外の状態での検査専用音の発音を確実に防止することができる。
【００６４】
また、車輪速センサ８で検出される車速Vの情報の代わりに（又はこれに加えて）、模擬車速信号を用いて制御を実施する構成としてもよい。この場合、例えばダイアグコネクタを介して車両接近通報ＥＣＵ１と通信可能な検査機器（外部検査手段）を接続し、この検査機器から模擬車速信号を出力させることが考えられる。あるいは、汎用テスター（外部検査機器）を車両接近通報ＥＣＵ１に直接的に接続し、特定のプロトコル（例えばKWP2000 on CAN）を用いて車両接近通報ＥＣＵ１を強制駆動してもよい。これらのような構成により、車両１０を走行させずに検査を実施することも可能となり、製品検査の作業性をさらに向上させることができる。
【００６５】
また、上述の実施形態及び変形例では、第一検査音開始条件や第二検査音開始条件の中で車速Vの大きさを判定するものを例示したが、車速Vの代わりに車輪速や車両１０の加速度を用いてもよい。また、上述のブレーキスイッチ７はブレーキペダルの踏み込み操作の有無を検出するものとしたが、これに加えて（又は代えて）ブレーキペダルの踏み込み量を検出するストロークセンサを用いてもよい。この場合、踏み込み量の入力パターンを第一検査音開始条件，第二検査音開始条件で判定することが可能となる。
【００６６】
また、上述の実施形態及び変形例では、車両１０の外部に対して発音するためのスピーカ４のみを備えたものを例示したが、検査専用音の発音先は車両１０の外部でなくてもよい。例えば、車両接近通報ＥＣＵ１と車室内の音響装置とを接続し、検査専用音を車室内に発音させる構成とすることも考えられる。これにより確認作業がより容易となり、製品検査の作業性をさらに向上させることができる。
【００６７】
また、上述の実施形態及び変形例では、車両接近通報ＥＣＵ１を電気自動車に適用したものを例示したが、適用対象となる車両の種類はこれに限定されず、少なくとも駆動用の電動モータを備えた車両への適用が可能である。例えば、電動モータを搭載した燃料電池自動車やハイブリッド車両に車両接近通報ＥＣＵ１を適用してもよい。
【符号の説明】
【００６８】
１  車両接近通報ＥＣＵ
２  通常発音制御部（第一発音手段）
３  検査発音制御部（第二発音手段）
３ａ  第一条件判定部
３ｂ  第二条件判定部
４  スピーカ
５  スタートスイッチ
６  シフトポジションセンサ（変速検出手段）
７  ブレーキスイッチ（制動検出手段）
８  車輪速センサ（車速検出手段）
９  駐車ブレーキスイッチ（制動検出手段）
１０  車両
【図１】
0005516483.tif 000002
【図２】
0005516483.tif 000003
【図３】
0005516483.tif 000004
【図４】
0005516483.tif 000005